(57)【要約】【課題】  作業机等の準備がいらず、作業性を向上させ花材保持ブロックに円滑且つ精度良く花材を生けることができるフラワーアレンジメント用具を提供する。【解決手段】  枠状部(11)に支脚(12)を設けた脚付枠状の作業台(10)と、板面を貫通する透孔(21)を形成して該作業台上に水平に載置される板状体(20)と、変形可能にして前記透孔よりも大きな板状片で、その中央にブーケホルダー(5)の柄部(5a)が貫通し得る挿入部(81)を設けると共に外周縁から該挿入部に向けて切込み部(82)を複数設けた補助片(8)と、花材の組付位置マーク(31)を前記板状体(20)の上面に表示する位置マーク表示手段(30)とを具備し、前記挿入部(81)に柄部(5a)を貫通させて、補助片(8)が取付けられたブーケホルダー(5)の柄部(5a)を前記透孔に貫挿し、前記板面下に突き出す該柄部を下方へ引っ張ることにより前記補助片(8)が柄部(5a)に寄せ付けられてブーケホルダー(5)及び板状体(20)と一体化する。【選択図】  図３
2007275563.tif 000002
【特許請求の範囲】
【請求項１】
枠状部(11)に支脚(12)を設けた脚付枠状の作業台(10)と、板面を貫通する透孔(21)を形成して該作業台上に水平に載置される板状体(20)と、変形可能にして前記透孔よりも大きな板状片で、その中央にブーケホルダー(5)の柄部(5a)が貫通し得る挿入部(81)を設けると共に外周縁から該挿入部に向けて切込み部(82)を複数設けた補助片(8)と、花材の組付位置マーク(31)を前記板状体(20)の上面に表示する位置マーク表示手段(30)と、を具備し、前記挿入部(81)に前記柄部(5a)を貫通させて、補助片(8)が取付けられたブーケホルダー(5)の柄部(5a)を前記透孔に上方から下方へ貫挿し、前記板面下に突き出す該柄部を下方へ引っ張ることにより、前記補助片(8)が透孔(21)を埋めるように変形して柄部(5a)に寄せ付けられてブーケホルダー(5)及び板状体(20)と一体化することを特徴とするフラワーアレンジメント用具。
【請求項２】
前記補助片(8)の切込み部(82)に切取り部分(821)を形成する請求項１記載のフラワーアレンジメント用具。
【発明の詳細な説明】
【技術分野】
【０００１】
本発明はブーケやアレンジメント作品等を製作するためのフラワーアレンジメント用具に関する。
【背景技術】
【０００２】
フラワーアレンジメントはヨーロッパが発祥とされ、その種類として(１)ブーケ，(２)アレンジメント，(３)コサージ等があり、我国でも愛好者が広がりつつある。フラワーアレンジメント（特に基本形）の作品を美しく作るにはフラワースクールに何度も通い続けて、花を生けて勉強するのが主流である。そのスクールでは、ラウンド型，ダイヤ型，キャスケード型等のフラワーアレンジの基本形につき、物差し，メジャー等を使用し、底辺面や高さ，側面を測りながら生けていく方法を教えている。
そして、そこで製作される例えばブライダルブーケは、ウエディングドレスを着た花嫁をより美しく見せることができるもので、バラ,ラン,ユリ,トルコ桔梗, ,フリージャ等の多数の生花や枝葉（以下、花材という）をラウンド型やキャスケード型等の立体形状にアレンジされる。生花を用いたこのようなフラワーアレンジメント作品が可能であれば自分の感性を生かして手作りし、親しい友人や愛娘の結婚式にプレゼントできるようにしたいという要望は大きい。
しかし、多数の花材を所定形状にバランス良く配置することは、初心者にとって容易でなく、従来はフラワーアレンジメントに興味をもっていても個人がこれを手作りすることは困難であった。フラワーアレンジメントは本や写真などを参考にしても、素人では多数の花材を美しく立体形状にアレンジできなかった。結局、フラワーアレンジメントをマスターするにはスクールに通い勉強することになるが、そのための時間と費用が嵩む状況にあった。
こうしたことから、本発明者は初心者でも手軽にフラワーアレンジメント作品を作製できるフラワーアレンジメント用教具を既に提案した(特許文献１)。
【０００３】
【特許文献１】特許第３４５５４７５号公報
【発明の開示】
【発明が解決しようとする課題】
【０００４】
特許文献１で提案したフラワーアレンジメント用教具は、例えばブライダルブーケを作るにあたって、まず図１３に示すごとくブーケホルダー１の柄部１ａを円筒状のスタンド２に差すことにより、ブーケホルダー１を真直に支持する。次に、表面に等角間隔で花の組付位置マーク３ａ,３ｂ,３ｃ等が表示された一対の略半円形のシート状表示体３をその内縁部に突設された針状の軸体３ｄを花材保持ブロック１ｂに差し込み、図１４のごとくシート状表示体３を水平に止着する。その後、この組付位置マーク３ａ,３ｂ,３ｃに沿って花材４の軸４ａを花材保持ブロック１ｂに差し込むことにより、花材４を花材保持ブロック１ｂの周囲に均等にバランス良く配置できるようにするものである。尚、ブーケホルダー１は柄部１ａの上端に受器部１ｃを形成し、該受器部上に吸水性発泡体等の多孔質体を球状に形成してなる花材保持ブロック１ｂを配置し、該花材保持ブロック１ｂを篭体１ｄにより囲ってなるものを例示する。
【０００５】
しかるに、一般にブーケホルダーには、図１３に示す柄部１ａの上端に受器部１ｃを真直に形成したものの他、花嫁が柄部１ａを持ったとき花束全体が自然に前方に向くように、図６のブーケホルダー５のごとく柄部５ａの上端に受器部５ｃを前方に所定角度で折れ曲がった形状にし、篭体５ｄによって囲われた花材保持ブロック５ｂが前向き傾斜状に支持されるものがある。受器部５ｃが柄部５ａに対し折れ曲がって形成されたブーケホルダー５は、柄部５ａを上記スタンド２に差したとき花材保持ブロック５ｂが傾斜状になるために、これにシート状表示体３を装着するとこのシート状表示体３も傾斜し、ブーケ作りが困難になった(第１の問題)。そして、ブーケホルダーを上記のようなスタンド２に支持しただけでは不安定であり、花材を差し込む際に作業し難いという問題があった(第２の問題)。さらにキャスケード型のブーケ等においては、柄部の領域まで覆い尽くすような立体感溢れる形状ものが形成されるが、図１４のごとく、シート状表示体３の軸体３ｄを花材保持ブロック１ｂに差し込んでシート状表示体３を水平に止着すると、該シート状表示体自身が邪魔をし、これよりも下方に花材を生けるのを阻むため、立体感溢れる形状ものができなかった(第３の問題)。加えて、特許文献１で、図１５のごとくシート状体からなる教具６０を提供したが、スタンド２に立てるブーケについては該スタンドに教具６０を取付けることができなかった(第４の問題)。
【０００６】
一方、アレンジメントに関しては、特許文献１でシート面６１の一方の面に支持部材たる花材保持ブロック７２又はこれを保持するための器７１が置かれる位置マークＰと花の組付け位置マーク３ａ,３ｂ,３ｃとが表示されたシート状体を用いた教具６０が有効であった(図１５,図１６)。当該教具６０は図１６のごとくテーブル等に敷かれ、位置マークＰに器７１を置いて、まず水平よりも上方側のアレンジメント作品を完成させる。その後、絵柄Ｅに描かれた花材の組付位置マーク３ａ〜３ｃに沿って、図１６のごとく先端に向けて下方傾斜する花材４を生けていく。花材４の先端が対応する絵柄Ｅの花マークに近接させるようにして、該花材の軸４ａを花材保持ブロック７２に差し込んでいく。かくして、テーブル面ＧＬ近くまで花材４に埋もれたボリューム感溢れる形状のアレンジメント作品ができるようにしている。
【０００７】
しかし、前記教具６０を用いた場合、器７１が大きいと器７１の高さも高くなって、花材と花の組付け位置マークとの位置が離れ、花材を上手に生けることが難しくなっていた(第５の問題)。加えて、シート状の教具６０を用いていることから、作業し易い作業位置を確保するため適当な机などの作業机等を別途用意し、その上に教具を置いて生ける必要があった(第６の問題)。
【０００８】
本発明は上記問題点を解決するもので、作業机等の準備がいらず、作業性を向上させて、しかも花材保持ブロックに円滑且つ精度良く花材を生けることができ、華麗で見事なブーケやアレンジメント等のフラワーアレンジメント作品を初心者でも簡単に製作できるフラワーアレンジメント用具を提供することを目的とする。
【課題を解決するための手段】
【０００９】
前記目的を達成すべく、請求項１に記載の発明の要旨は、枠状部(11)に支脚(12)を設けた脚付枠状の作業台(10)と、板面を貫通する透孔(21)を形成して該作業台上に水平に載置される板状体(20)と、変形可能にして前記透孔よりも大きな板状片で、その中央にブーケホルダー(5)の柄部(5a)が貫通し得る挿入部(81)を設けると共に外周縁から該挿入部に向けて切込み部(82)を複数設けた補助片(8)と、花材の組付位置マーク(31)を前記板状体(20)の上面に表示する位置マーク表示手段(30)と、を具備し、前記挿入部(81)に前記柄部(5a)を貫通させて、補助片(8)が取付けられたブーケホルダー(5)の柄部(5a)を前記透孔に上方から下方へ貫挿し、前記板面下に突き出す該柄部を下方へ引っ張ることにより、前記補助片(8)が透孔(21)を埋めるように変形して柄部(5a)に寄せ付けられてブーケホルダー(5)及び板状体(20)と一体化することを特徴とするフラワーアレンジメント用具にある。
請求項２の発明たるフラワーアレンジメント用具は、請求項１で、補助片(8)の切込み部(82)に切取り部分(821)を形成することを特徴とする。
【００１０】
請求項１の発明のごとく作業台と透孔を形成した板状体と位置マーク表示体と補助片を備えると、ブーケホルダーを起立状態で安定して不動に支持することができるので、花材を差し込み易く作業し易くなる。作業台で適度な高さが確保されるため、作業机等を別途用意する必要はない。挿入部(81)に前記柄部(5a)を貫通させて、補助片(8)が取付けられたブーケホルダー(5)の柄部(5a)を前記透孔に上方から下方へ貫挿し、前記板面下に突き出す該柄部を下方へ引っ張ることにより、前記補助片(8)が透孔(21)を埋めるように変形して柄部(5a)に寄せ付けられてブーケホルダー(5)及び板状体(20)と一体化すると、ブーケホルダーが作業台上に真っ直ぐ上方を向いて固定される状態にでき、ブーケ作りがし易くなる。組付位置マークに従って花材を差し込むだけで花材保持ブロックに円滑且つ精度良く花材を生けることが可能で、バランスの採れた美しいブーケを簡単に作成することができる。ブーケやアレンジメントの下部の所は、板状体の上面に表示する位置マーク表示手段に沿わせて花材を生けていくことになるので、立体感溢れる形状の作品ができる。種々の形態で組付位置マークが表示された位置マーク表示手段(30)を用意すれば、この位置マーク表示手段を交換するだけで、様々な形のブーケを作成できる。
請求項２の発明のごとく補助片(8)の切込み部(82)に切取り部分(821)を形成すると、該切取り部分によって補助片の変形が一層し易くなり、柄部を下方側に引っ張ることにより、透孔の周縁で、補助片が透孔を埋めるように変形すると共に柄部に寄せ付けられてブーケホルダーをより簡単に係止することができる。
【発明の効果】
【００１１】
本発明のフラワーアレンジメント用具は、作業机などが不要で、補助片が変形することによりブーケホルダーが作業台の板状体と一体化するので、作業がし易くなり、花材保持ブロックに円滑且つ精度良く花材を生けることが可能で、華麗で見事なブーケやアレンジメント等のフラワーアレンジメント作品を初心者でも簡単に製作でき優れた効果を発揮する。
【発明を実施するための最良の形態】
【００１２】
以下、本発明に係るフラワーアレンジメント用具について詳述する。
（１）実施形態１
図１〜図９は本発明のフラワーアレンジメント用具の一形態で、図１はその分解斜視図、図２はその使用状態を示す斜視図、図３は同じくその使用状態を示す縦断面図、図４は位置マーク表示手段たるシート状表示体の斜視図、図５は本フラワーアレンジメント用具により製作したブライダルブーケの一例を示す斜視図、図６はブーケホルダーの一例を示す斜視図、図７は（イ)が補助具の平面図、(ロ)が(イ)のI-I線斜視図である。図８は図７とは別態様の補助具の平面図、図９は図３の要部拡大図である。尚、図３,図９の補助片の断面を示すハッチング表示は図面を分かり易くするため省く。
【００１３】
フラワーアレンジメント用具は作業台１０と板状体２０と位置マーク表示手段３０と補助具８と起立性シート状表示体５０とを具備する。フラワーアレンジメント作品を製作する場合、フラワーアレンジメント用具とは別にフラワーアレンジメント作品の素材たる花材４とブーケホルダー５が準備される。
【００１４】
例えば図５のようなラウンドブーケ作品(以下、単に「ブーケ作品」という)を製作するにあたり、これに必要な生花や枝葉の花材４を準備する。またブーケホルダー５として、本実施形態は図３〜図６のごとく柄部５ａの上端から上方へ延設する受器部５ｃが前方に所定角度(約２０度)で折れ曲がり、該受器部５ｃに収納され且つ篭体５ｄによって囲われた花材保持ブロック５ｂが前向き傾斜状に支持されるブーケホルダー５を用意する。柄部５ａの付け根に形成した拡径部５ａ１からラッパ状に広がる受器部５ｃが延設され、該受器部５ｃに花材保持ブロック５ｂを収納した後、篭体５ｄで囲ったブーケホルダー５である。図６中、符号５ｃ１は受器部５ｃから突出する複数の係合突起で、花材保持ブロック５ｂを囲った篭体５ｄに係合し、受器部外面に設けたストッパたる突起５ｃ２とで篭体５ｄを受器部５ｃに取外し可能に係止する。尚、図６以外の図面では係合突起５ｃ１,突起５ｃ２の図示を省略する。篭体５ｄでカバーされた部分には花材保持ブロック５ｂの露出部５ｂ１が現れる。ここでは篭体５ｄで覆われた箇所だけでなく、受器部５ｃに窓口を形成して該窓口からも花材保持ブロック５ｂの露出部５ｂ１が現れるようにしている。花材保持ブロック５ｂは保水性を有する樹脂発泡体で、商品名「オアシス」と呼ばれるもの等が用いられる。花材保持ブロック５ｂは略球形の所定形状にして図６のようなブライディ(株式会社クラウディアの商品名)たる柄部５ａ付き受器部５ｃと篭体５ｄに保持されてこの中に納まる。
【００１５】
作業台１０は枠状部１１に支脚１２を設けた脚付枠状体にした木製品である。図１のごとく帯板の幅方向を起立させて四角形の枠体(枠状部１１)を形成し、その中空内四隅に柱状の支脚１２の上部を固着して脚付枠状体とする。枠状部上面が支脚１２によって作業し易い所定高さで水平に支持される。
【００１６】
板状体２０は板面を貫通する透孔２１を形成して該作業台１０上に水平に載置される方形の木製板である。該板状体２０は枠状部１１上に載置し、ブーケホルダー５の柄部５ａを上から該透孔２１に貫挿し花材保持ブロック５ｂの露出部を該板面よりも上方側に配して該透孔２１の周縁でブーケホルダー５を受け支える構成である。本実施形態は、透孔２１の孔径をブーケホルダー５に係る受器部５ｃに設けた窓口の下縁位置又は当該位置よりも少し柄部５ａ寄りのラッパ状受器部５ｃの外径に等しくする。ブーケホルダー５の受器部上縁を水平にして柄部５ａの先端を該透孔２１へ貫通させ、ブーケホルダー５を板状体２０に挿着すると、篭体５ｄで囲われた花材保持ブロック５ｂの露出部５ｂ１、さらに受器部５ｃの窓口から花材保持ブロック５ｂの露出部５ｂ１が板状体２０の板面よりも上方側に配されるようにしている。
本実施形態の板状体２０は、対向縁にそれぞれ半円状の切欠２１ａ,２１ｂが形成された半割板状の一対の板状体２０ａ,２０ｂからなり、該板状体２０ａ,２０ｂの裏面に図３のごとく位置決め用の棒材２２ａ,２２ｂを固着する。枠状部１１の内壁に棒材２２ａ,２２ｂが嵌入、当接して、該板状体２０ａ,２０ｂを作業台１０上に隣り合わせに配置することにより、作業台１０上での板状体２０ａ,２０ｂの横ズレを防止すると共に、切欠２１ａ,２１ｂが合わさって、板状体２０の中央板面に円形の透孔２１が形成される。
【００１７】
位置マーク表示手段３０は花材４の組付位置マーク３１を前記板状体２０の上面に表示する表示体である。ここでの位置マーク表示手段３０はシート状表示体で、半割板状の一対の板状体２０ａ,２０ｂと平面視同形状のフィルム又はシートからなり、組付位置マーク３１たる大花マーク３１ａ,小花マーク３１ｂ,葉マーク３１ｃが等角間隔で半円状切欠３２ａ,３２ｂを中心として放射状に表記されている。半円状切欠３２ａ,３２ｂを切欠２１ａ,２１ｂｂに一致させ、位置マーク表示手段３０を板状体２０の上に重ね合わせるようにして載置することで、花材４の組付位置マーク３１が板状体２０の上面に表示される。ブーケホルダー５の柄部５ａを透孔２１に貫挿し、ブーケ作品の底面を形成する花材４を該組付位置マーク３１に沿って配した後、所定長さに切った花材４の軸４ａを図３のごとく花材保持ブロック５ｂの露出部へ順次挿入すれば、ブーケ作品の底面部分が綺麗に配列された姿態で完成する。
位置マーク表示手段３０は図１の分割構成に代え、板状体２０と平面視同形の一枚ものとすることができる。また本実施形態は、図１のごとく板状体２０と平面視を同じくするシート又はフィルムに花材４の組付位置マーク３１を印刷や後書き等で表記した位置マーク表示手段３０とし、板状体２０とは別体とするが、板状体２０の上面に直かに位置マーク表示手段３０を直接描いたり印刷したりすることができる。板状体２０の上面に位置マーク表示手段３０を直接描けば、板状体２０と位置マーク表示手段３０とがズレる心配がなく、またフラワーアレンジメント用具の部品点数が減りより好ましくなる。
【００１８】
補助片８は変形可能にして前記透孔２１よりも大きな板状片である。補助片８はその中央にブーケホルダー５の柄部５ａが貫通する挿入部８１を設けると共にその外周縁８００から該挿入部８１に向けて切込み部８２を放射線状に複数設けたものである。尚、図１では切込み部８２の数を減らし簡略図示する。補助片８は所定厚みのゴム製又は樹脂製円板状で、弾性変形可能にして可撓性をも有し、板状体２０とブーケホルダー５とを一体化させる係止具となっている。補助片８は使い捨てでも構わないが、ここでは使用後に弾性復元させて再使用可能とする。挿入部８１にブーケホルダー５の柄部５ａを貫通させ補助片８が取付けられたブーケホルダー５を用意し、その柄部を作業台１０に載置された板状体２０の透孔２１に貫挿する。挿入部８１に柄部５ａを貫通させて、補助片８が取付けられたブーケホルダー５の柄部５ａを透孔２１に上方から下方へ貫挿し、板状体２０の板面下に突き出す該柄部を下方へ引っ張ることにより、補助片８が透孔２１を埋めるように変形して柄部５ａに寄せ付けられてブーケホルダー５及び板状体２０と密着、一体化する構成である。より詳しくは、花材保持ブロック５ｂの露出部５ｂ１を前記板面よりも上方側に配して、透孔下に突出す該柄部を下方側に引っ張ることにより、該透孔２１の周縁２０１で、補助片８が透孔２１を埋めるように弾性変形して柄部５ａに寄せ付けられてブーケホルダー５及び板状体２０と一体化する。尚、板状体２０よりも上方に現れるブーケホルダー５の割合は、補助片８の厚みや透孔２１,挿入部８１の孔径を変更することによって容易に調節できる。
【００１９】
本実施形態の補助片８は図７(イ)ごとくの平面視ほぼ円形で、且つ市販の吸盤片のごとく中央に向け皿状に窪みのある形状である(図７のロ）。補助片８は中央(中心部)にブーケホルダー５の柄部５ａの径よりも小さな通孔８１１を形成し、また該通孔８１１から補助片８の本体部８０へ切込みライン８１２を放射線状に形成する挿入部８１を有する。切込みライン８１２を形成することによって柄部５ａを挿入部８１に貫通させることができ、且つその貫通した柄部５ａに切込ライン８１２の入った本体部８０の箇所が弾性変形で復元して、補助片８を柄部に係止,保持させることができる。さらに、ここでは補助片８の外周縁に設けられた切込み部８２にＶ字状の切取り部分８２１を形成する。Ｖ字状切取り部分８２１の先端は、補助片８の中心を透孔の中心に合わせて板状体２０に載せたときに図７(イ)のごとく透孔２１の周縁２０１近くに達する。補助片８の変形を容易にするためである。
【００２０】
補助片８は図７の補助片８に代え、図８のごとくの補助片８とすることができる。図８の補助片８は挿入部８１に切込みライン８１２を設けるだけである。切込み部８２に図７に示すような切取り部分８２１は設けていない。図７の補助片８に比べると作業性に若干劣るが、本発明で要求されるブーケホルダー５及び板状体２０と一体化させる補助片８の機能は発揮する。
【００２１】
起立性シート状表示体５０は、中心部側にくり抜き部分を設けた板体(ここでは半円板)の少なくとも一方の面に花材４の組付位置マーク３１が表示され、且つ該くり抜き部分の内縁から突設する針状軸体５１が設けられたものである。該軸体５１をブーケホルダー５の花材保持ブロック５ｂに差し込むことにより、該花材保持ブロック５ｂ上に起立状に装着できる。
詳しくは、ブーケ作品の大きさに対応させた半円板とし、且つその中心部に小さな半円形にくり抜いた所定厚みで剛性のある板体を主部とする(図２)。そして、中心部の半円形のくり抜き部分の内周縁から2本の軸体５１が平行突出するよう形成する。該軸体５１を使ってブーケホルダー５の花材保持ブロック５ｂに取付けた際、図３のごとく該花材保持ブロック５ｂをうまく取り囲めるほどの半円形のくり抜き部分が形成されている。さらに、起立性シート状表示体５０のその板体に、組付位置マーク３１たる大花マーク３１ａ,小花マーク３１ｂ,葉マーク３１ｃが等角間隔にて半円状切欠を中心として放射状に表記される。
【００２２】
本フラワーアレンジメント用具は例えば次のように用いられる。作業台１０上に板状体２０を載置し、さらに位置マーク表示手段３０を板状体２０の上面に重ね合わせ載置する一方、挿入部８１に柄部５ａを貫通させて補助片８が取着されたブーケホルダー５を用意する。皿状に窪みのある側の補助片８へ柄部５ａを突っ込むことで、柄部５ａが補助片８を容易く貫通できる。該補助片８付きブーケホルダー５の受器部上縁を水平にし、花材保持ブロック５ｂの露出部５ｂ１を板状体２０の板面よりも上方側に配して、柄部５ａを透孔２１に貫挿し、花材保持ブロック５ｂの露出部５ｂ１を板状体２０の板面よりも上方側に配するようにして、透孔２１を貫通した該柄部５ａを下方側に引っ張る。この下方側へ柄部５ａを引っ張ることによって、該透孔の周縁２０１で、補助片８が透孔２１を埋めるように弾性変形して柄部５ａに寄せ付けられてブーケホルダー及び板状体２０と一体化する。
詳しくは、平面視円形の補助片８には柄部５ａが挿入されることで当初の皿状よりも深い窪みができ、外周縁部分８００が上向く。この補助片８付きブーケホルダーの柄部５ａを透孔２１に貫挿し、板状体２０の下側に現れた柄部５ａを下方側に引っ張ると、該透孔の周縁２０１では補助片８がその周縁２０１に当接しながら透孔２１を埋めるように弾性変形して透孔周縁２０１に密着する。と同時に、補助片８は透孔２１を埋めつつ弾性変形しながら窄まり柄部５ａに寄せ付けられ、該柄部に付着し、最終的に図９のごとく透孔周縁２０１で該透孔周縁と補助片８とブーケホルダー５とが密着、一体化する。そして、板状体２０とブーケホルダー５とに密着した補助片８は弾性変形しているので、その復元力でもって両者と強固に一体化することとなる。さらに、本実施形態は補助片８が図９のごとく拡径部５ａ１を巻き込んで大きく屈曲しているので、弾性復元力が大きくより一層の一体化が図られる。補助片８が拡径部５ａ１を巻き込んでいることから、補助片８とブーケホルダーの一体化は完璧になる。
【００２３】
かくして、図２,図３のごとく、位置マーク表示手段３０ が板状体２０の上面に表示され且つ該板状体が作業台１０上に水平に載置されて、ブーケホルダー５がその受け器部５ｃ,花材保持ブロック５ｂを真っ直ぐ上方に向くようにして、補助片８を介して板状体２０に固定、一体化される。次に、起立性シート状表示体５０の軸体５１をブーケホルダー５の花材保持ブロック５ｂへ上から垂直に差し込み、装着する。続いて、花材４を起立性シート状表示体５０の組付位置マーク３１に沿って配し、所定長さに切った花材４の軸４ａを図３のごとく花材保持ブロック５ｂへ挿入すれば、ブーケ作品を形成する一つの半円縦断面部分が完成する。この半円縦断面部分は、特許文献１の図６のごとく花材４がつくる所定幅をもち、且つその外周面が花で彩られる。次いで、起立性シート状表示体５０を抜き取り図３の紙面垂直方向に起立性シート状表示体５０を配設替えしその軸体５１をブーケホルダー５の花材保持ブロック５ｂに差し込む。その後、花材４を起立性シート状表示体５０の組付位置マーク３１に沿って配し、所定長さに切った花材４の軸４ａを花材保持ブロック５ｂへ挿入すれば、前述の半円縦断面部分と直行する新たな半円縦断面部分が完成する。
【００２４】
ブーケ作品を製作する際、前記位置マーク表示手段３０を使ってブーケ作品の底面部分と、前記起立性シート表示体を使って直行する半円縦断面部分と、の手順は問わない。これらを完成させると、少なくともこれらの部分が規則性をもって綺麗にブーケの外観を形づくるので、後は残り少ない花材保持ブロック５ｂの露出部分を隠すようにそこへ花材４を挿入してやれば豪華で且つ見事な図５ごとくのブーケを作ることができる。
【００２５】
このように構成したフラワーアレンジメント用具は、図２のごとく作業台１０上に板状体２０ａ，２０ｂを隣り合わせに配置することによってできた透孔２１へ切欠３２ａ,３２ｂを一致させるようにして、位置マーク表示手段３０を板状体２０に重ね合わせた後、既述のごとく補助片８を取付けたブーケホルダー５の受器部５ｃの上縁を水平にして、柄部５ａを透孔２１に貫挿すれば、補助片８を介してブーケホルダー５と板状体２０が一体化され、花材保持ブロック５ｂが板状体２０,位置マーク表示手段３０の上側に配設される。補助片８を使ってブーケホルダー５を係止するので、ブーケホルダー５が板状体２０,位置マーク表示手段３０上でしっかり固定される。作業台１０上のブーケホルダー５が安定し、ブーケの製作作業が円滑に進む。
また、柄部５ａの上端から上方へ延設する受器部５ｃが前方に折れ曲がるブーケホルダー５は、従来のブーケスタンド(図１６の符号２)を使うと、傾いた状態のままブーケ作品を作ることを強いられるので製作困難であったが、本フラワーアレンジメント用具によればブーケホルダー５の柄部５ａを傾けてブーケの正面が上向き状態になるので、ブーケ作りが非常に行い易くなっている。
さらに、作業台１０上に位置マーク表示手段３０や起立性シート状表示体５０が配されるので、フラワーアレンジメント用具だけで足り、別途、作業机等を準備しなくて済む。位置マーク表示手段３０たるシート状表示体は、図１４のシート状表示体３と違って、ブーケホルダー５から離れた下方の板状体上面に配されるので、立体感溢れる形状のブーケ作りができる。位置マーク表示手段３０と起立性シート状表示体５０の組付位置マーク３１に沿ってバラ,ユリ,チューリップ,ラン,トルコ桔梗等の花材４の軸４ａを花材保持ブロック５ｂに差し込んでいけば、手作りで生花からなる華麗で豪華なブーケを素人でも楽に製作できる。
【００２６】
加えて、位置マーク表示手段３０や起立性シート状表示体５０は、使用する花材４の大きさや種類、形状、及び製作しようとするブーケの型に合わせて種々の組付位置マーク３１が表示されたものを予め用意しておけば、該位置マーク表示手段３０,起立性シート状表示体５０を交換するだけで別のブーケ作品に対処できる。例えば、図４に示した位置マーク表示手段３０は、図２に示したものに代えて板状体２０ｂ上に差し替え配置することによりオーバル型のブライダルブーケを作成するものである。これらのシート状表示体３０,５０を使用することにより、花材４の配置バランスが精度良く保たれ見栄えの良いオーバル型ブーケを初心者でも簡単に作成できる。
【００２７】
また、板状体２０は板状体２０ａ，２０ｂに２分割されていることから、一方の板状体を外せば出来上がったブーケを簡単に取り出すことができ、着脱を容易にする。また補助片８は弾性変形可能であり、弾性変形した補助片８の復元力以上の外力でもって引き離せば、ブーケホルダー５の柄部５ａをその透孔２１から簡単に取り外すことができる。それでいて、作業者が作業中にブーケホルダー５に当ったりした場合でも、ブーケホルダー５が補助片８を介在して透孔２１と密着し、さらに弾性変形した補助片８の復元力でもってより一体化しているので不用意に動くことはない。
アレンジメント作品を製作する場合も、上記一連の効果と同様の効果が得られる。図１５の教具６０の相当品が位置マーク表示手段３０になるので、アレンジメント作品にも円滑対応できる。
【００２８】
（２）実施形態２
本実施形態は、実施形態の位置マーク表示手段３０と板状体２０とを、図１０〜図１２のごとく一体品の位置マーク表示手段３０付き板状体２０にするフラワーアレンジメント用具である。板状体２０の板面に位置マーク手段３０が直接描かれている。また、実施形態１では位置マーク表示手段３０と板状体２０が二分割構成であったが、一枚物の位置マーク表示手段付き板状体とする。作業台１０上に水平に載置される板状体上面１ａに、透孔２１から組付位置マーク３１たる大花マーク３１ａ,小花マーク３１ｂ,葉マーク３１ｃが透孔２１を中心として放射線状に等角間隔で描かれる。尚、図１０は位置マーク表示手段３０付き板状体２０の一例を図示する平面図、図１１はその裏面図である。図１２は図１の二分割構成の位置マーク表示手段３０と板状体２０とを一体品の位置マーク表示手段３０付き板状体２０に変更したものを用いて図１に対応する斜視図を図示するものである。
各板状体２０の裏面の四隅近くには滑り止め用粘着パッド２５が貼着されていて、板状体２０を作業台１０上に水平載置すると、該粘着パッドが作業台の上面１ａに載る。板状体２０が作業台１０に載置されると、粘着パッド２５が作業台上面１ａに載ることによって板状体２０が該作業台１０と一体化し、実施形態１の位置決め用棒材２２ａ,２２ｂなしでも必要以上の外力を加えないと動かなくなっている。ブーケ作品を制作するうえで何ら支障はない。他の構成は実施形態１と同様でその説明を省く。
【００２９】
このように構成したフラワーアレンジメント用具は、実施形態１の効果に加え、位置マーク表示手段３０付き板状体２０になることでフラワーアレンジメント用具の部品点数が減る。一枚物の位置マーク表示手段付き板状体とすることで、フラワーアレンジメント用具の部品点数がさらに減る。位置決め用棒材２２ａ,２２ｂをなしにして粘着パッド２５を用いるので、該位置決め用棒材がない分だけフラワーアレンジメント用具が嵩張らない。フラワーアレンジメント用具の収納,保管に便利になる。
【００３０】
尚、本発明においては、前記実施形態に示すものに限られず、目的,用途に応じて本発明の範囲で種々変更できる。作業台１０,板状体２０,位置マーク表示手段３０,補助片８等の形状,大きさ等は用途等に合わせて適宜選択できる。例えば、補助片８はその構成材料に弾性変形度合いの大きい発泡体,スポンジを用い、補助片８が透孔２１を埋めるように容易く変形して柄部５ａに寄せ付けられてブーケホルダー５及び板状体２０と一体化するものであってもよい。
【図面の簡単な説明】
【００３１】
【図１】実施形態１のフラワーアレンジメント用具の分解斜視図である。
【図２】図１のフラワーアレンジメント用具の使用状態を示す斜視図である。
【図３】図１のフラワーアレンジメント用具の使用状態を示す縦断面図である。
【図４】位置マーク表示手段たるシート状表示体の斜視図である。
【図５】本フラワーアレンジメント用具により製作したブライダルブーケの一例を示す斜視図である。
【図６】ブーケホルダーの一例を示す斜視図である。
【図７】(イ)が補助具の平面図、(ロ)が(イ)のI-I線矢視図である。
【図８】図７とは別態様の補助具の平面である。
【図９】図３の要部拡大図である。
【図１０】実施形態２の位置マーク表示手段付き板状体の平面図である。
【図１１】図１０の裏面図である。
【図１２】図１の位置マーク表示手段と板状体を、位置マーク表示手段付き板状体に代えたフラワーアレンジメント用具の分解斜視図である。
【図１３】従来技術の斜視図である。
【図１４】従来技術の正面図である。
【図１５】従来技術の斜視図である。
【図１６】従来技術の縦断面図である。
【符号の説明】
【００３２】
５                  ブーケホルダー
５ａ                柄部
５ｂ                花材保持ブロック
１０                作業台
１１                棒状部
１２                支脚
２０                板状体
２０ａ,２０ｂ        板状体
２１                透孔
３０                位置マーク表示手段
３１                組付位置マーク
５０                起立性シート状表示体
８                  補助片
８００              外周縁
８１                挿入部
８２                切込み部
８２１              切取り部分
【図１】
2007275563.tif 000003
【図２】
2007275563.tif 000004
【図３】
2007275563.tif 000005
【図４】
2007275563.tif 000006
【図５】
2007275563.tif 000007
【図６】
2007275563.tif 000008
【図７】
2007275563.tif 000009
【図８】
2007275563.tif 000010
【図９】
2007275563.tif 000011
【図１０】
2007275563.tif 000012
【図１１】
2007275563.tif 000013
【図１２】
2007275563.tif 000014
【図１３】
2007275563.tif 000015
【図１４】
2007275563.tif 000016
【図１５】
2007275563.tif 000017
【図１６】
2007275563.tif 000018